(57)【要約】【課題】気密性の確保が行え、かつ、施工が容易に行える設備機器を提供する。【解決手段】設備機器である空気清浄機１Ａは、建物の天井裏に吊下される取付枠３と、取付枠３に取り付けられる空気清浄機本体２を備え、取付枠３は、空気清浄機本体２の本体部２０の側面下部から外側へ突出するフランジ部２０ａが取り付けられる下面部３０ａと、天井１００に形成された開口部１０３の開口縁１０３ａと対向する側面部３０ｂを備え、取付枠３の側面部３０ｂと開口部１０３の開口縁１０３ａの間に封止部材３２を備える。【選択図】    図１
2014137214.tif 000002
【特許請求の範囲】
【請求項１】
建物の天井裏に吊下される取付枠と、
前記取付枠に取り付けられる装置本体とを有し、
前記取付枠は、
前記装置本体の側面下部から外側へ突出するフランジ部が取り付けられる下面部と、天井に形成された開口部の開口縁と対向する側面部とを備え、
前記取付枠の前記側面部と、前記開口部の開口縁の間に、前記取付枠の前記側面部と前記開口部の開口縁とに接する封止部材を備えた
ことを特徴とする設備機器。
【請求項２】
前記封止部材は、前記取付枠の前記側面部の外側の面に設けられる
ことを特徴とする請求項１に記載の設備機器。
【請求項３】
前記封止部材は、前記取付枠の前記側面部の外側の面において、前記開口部の開口縁と当接する幅を有して、周方向に設けられる
ことを特徴とする請求項２に記載の設備機器。
【請求項４】
建物の天井裏に取付枠を吊下し、
前記取付枠の側面部、または、天井に形成される開口部の開口縁のいずれかあるいは両方に設けられる封止部材が押圧されるように、天井に開口部を形成する天井部材を、前記取付枠の前記側面部に対向させて設置した後、前記取付枠に装置本体を取り付ける
ことを特徴とする設備機器の施工方法。
【請求項５】
建物の天井裏に前記取付枠を吊下し、前記封止部材が押圧されるように、前記天井部材を前記取付枠の前記側面部に対向させて設置し、前記取付枠の取付高さを調整した後、前記取付枠に前記装置本体を取り付ける
ことを特徴とする請求項４に記載の設備機器の施工方法。
【発明の詳細な説明】
【技術分野】
【０００１】
本発明は、建物の天井に開口部を設けて設置される設備機器、及び設備機器の施工方法に関する。
【背景技術】
【０００２】
建物の天井に開口部を設けて設置される設備機器として、室内の空気を循環させながら、フィルタ等で粉塵等を除去して、清浄された空気を室内に吹き出す空気掃除機が知られている。
【０００３】
従来の空気清浄機では、天井裏の補強用木枠に本体のフランジ部にボルトを通して直接ねじ止めする施工方法が採用されてきた。これに対して、軽量鉄骨仕様の住宅の天井では、補強用木枠を設置することが難しく、梁等からアンカーボルトで装置本体を吊下する天吊り仕様等と称される施工方法が採用される場合がある。
【０００４】
従来、天吊り仕様の空気清浄機では、装置本体の側面下部から外側へ突出するフランジ部の上面に封止部材が設けられ、封止部材が所定量押し潰されるように、天井を構成する天井パネルの下面にフランジ部の上面を当接させることで、気密性を確保している。
【０００５】
これにより、装置本体の取付高さが天井パネルに対して正確に合わせられていないと、装置本体のフランジ部と天井パネルの間に隙間が開いてしまい、気密性が確保できない虞があった。
【０００６】
このような課題を解決するため、装置本体の側面に封止部材を設け、装置本体の側面と天井の開口部の開口縁との間で気密性を確保する技術が提案されている。しかし、装置本体の取付高さを調整する際に、重量のある装置本体を支えながら作業をする必要があり、作業性が悪く、調整に時間が掛かっていた。
【０００７】
そこで、天井から吊下されるアンカーボルトと装置本体とを接続する接続部材にラチェット機構を備える技術が提案されている（例えば、特許文献１参照）。
【先行技術文献】
【特許文献】
【０００８】
【特許文献１】特許第４３５９９５５号公報
【発明の概要】
【発明が解決しようとする課題】
【０００９】
しかし、ラチェット機構を備えて装置本体の取付高さを調整する場合でも、装置本体の重量がラチェット機構に掛かるので、重量のある装置本体を支えながら作業をする必要があるという課題を解決することができない。
【００１０】
また、ラチェット機構では、ラチェット溝とラチェット爪の寸法で装置本体の移動量が決まるので、ラチェット機構のみで装置本体の取付高さを天井パネルに対して正確に合わることは難しく、装置本体のフランジ部と天井パネルの間に隙間が開いてしまい、気密性が確保できない虞があった。
【００１１】
本発明は、このような課題を解決するためになされたもので、気密性の確保が行え、かつ、施工が容易に行える設備機器及び設備機器の施工方法を提供することを目的とする。
【課題を解決するための手段】
【００１２】
上述した課題を解決するため、本発明は、建物の天井裏に吊下される取付枠と、取付枠に取り付けられる装置本体とを有し、取付枠は、装置本体の側面下部から外側へ突出するフランジ部が取り付けられる下面部と、天井に形成された開口部の開口縁と対向する側面部とを備え、取付枠の側面部と、開口部の開口縁の間に、取付枠の側面部と開口部の開口縁とに接する封止部材を備えた設備機器である。
【００１３】
また、本発明は、建物の天井裏に取付枠を吊下し、取付枠の側面部、または、天井に形成される開口部の開口縁のいずれかあるいは両方に設けられる封止部材が押圧されるように、天井に開口部を形成する天井部材を、取付枠の側面部に対向させて設置した後、取付枠に装置本体を取り付ける設備機器の施工方法である。
【００１４】
本発明の設備機器では、装置本体のフランジ部と天井面との間に隙間が形成されている状態でも、封止部材が開口部の開口縁と押圧された状態が保持され、取付枠と、開口部の開口縁との間で気密性が確保される。
【００１５】
また、本発明の設備機器の施工方法では、天井への取付枠の設置は、装置本体を取付枠に取り付けていない状態で行われ、取付枠が所定の取付高さに合っていない場合も、取付枠に装置本体を取り付けていない状態で、取付高さが調整される。
【発明の効果】
【００１６】
本発明によれば、装置本体が設置される天井の開口部で、装置本体の取付位置に誤差が生じても、室内側と天井側との間を封止して、気密性を保つことができる。また、重量のある装置本体を取付枠に取り付けていない状態で、取付枠の設置及び取付高さの調整を行うことができ、施工を容易に行うことが可能となる。
【図面の簡単な説明】
【００１７】
【図１】本実施の形態の空気清浄機の一例を示す要部側面図である。
【図２】本実施の形態の空気清浄機の一例を示す全体側面図である。
【図３】本実施の形態の空気清浄機の一例を示す分解斜視図である。
【図４】本実施の形態の空気清浄機の施工方法の一例を示す斜視図である。
【図５】本実施の形態の空気清浄機の施工方法の一例を示す斜視図である。
【図６】本実施の形態の空気清浄機の施工方法の一例を示す施工工程図である。
【図７】本実施の形態の空気清浄機の施工状態の一例を示す要部側面図である。
【発明を実施するための形態】
【００１８】
以下、図面を参照して、本発明の設備機器の実施の形態としての空気清浄機及び設備機器の実施の形態としての空気清浄機の施工方法について説明する。
【００１９】
＜本実施の形態の空気清浄機の構成例＞
図１は、本実施の形態の空気清浄機の一例を示す要部側面図、図２は、本実施の形態の空気清浄機の一例を示す全体側面図、図３は、本実施の形態の空気清浄機の一例を示す分解斜視図である。また、図４及び図５は、本実施の形態の空気清浄機の施工方法の一例を示す斜視図である。
【００２０】
本実施の形態の空気清浄機１Ａは、空気清浄機本体２と、空気清浄機本体２を、設置場所である建物の天井１００に固定する取付枠３を備える。天井１００は、空気清浄機１Ａの設置場所等に取り付けられる野縁等と称される枠体１０１と、枠体１０１に固定される天井パネル１０２を備える。
【００２１】
天井１００は、空気清浄機１Ａの設置場所に、取付枠３に合わせて天井部材である枠体１０１及び天井パネル１０２で開口部１０３が形成され、開口部１０３の開口縁１０３ａに、枠体１０１の側面及び天井パネル１０２の端面が露出する。
【００２２】
空気清浄機本体２は装置本体の一例で、室内から吸い込んだ空気を清浄して室内に吹き出す機能を実現する図示しない循環ファン及びフィルタと、室内から吸い込んだ空気を屋外に排気する機能を実現する換気ファン２０Ｆ等を有した本体部２０と、本体部２０の下面に取り付けられるフロントパネル２１を備える。
【００２３】
本体部２０は、図示しない循環ファンへの空気の吸込口２２ａ及び空気の吹出口２２ｂと、換気ファン２０Ｆの吸込口２３を下面に備える。また、本体部２０は、矩形の側面下部から外側へ突出するフランジ部２０ａを、全周方向に備える。
【００２４】
更に、本体部２０は、図示しない排気ダクトが接続されるダクトジョイント２０ｂが、一の側面に取り付けられる。本体部２０は、フランジ部２０ａを貫通した穴部２０ｃが形成され、取付枠３に締結されるネジ２０ｄが穴部２０ｃに挿入される。
【００２５】
フロントパネル２１は、本体部２０の下面及びフランジ部２０ａを覆う形状を有し、下面の一部に所定の高さで空間が形成された化粧パネル２４を備える。
【００２６】
フロントパネル２１は、本体部２０の吸込口２２ａと連通した吸込口グリル２５ａを、化粧パネル２４の形成位置に備えると共に、吹出口２２ｂと連通した吹出口グリル２５ｂを化粧パネル２４の非形成位置に備える。
【００２７】
また、フロントパネル２１は、化粧パネル２４の側方を開口して、換気ファン２０Ｆの吸込口２３と連通した吸込口２６を備える。
【００２８】
取付枠３は、空気清浄機本体２の本体部２０が取り付けられる本体取付枠３０と、本体取付枠３０を吊下する吊下部３１を備える。本体取付枠３０は、本体部２０のフランジ部２０ａが取り付けられる下面部３０ａと、天井１００の開口部１０３の開口縁１０３ａと対向する側面部３０ｂを有した断面形状がＬ状の形鋼材で構成される。
【００２９】
本体取付枠３０は、Ｌ状の形鋼材の下面部３０ａを下側、側面部３０ｂを外側とした向きで、４本の形鋼材が本体部２０のフランジ部２０ａに合わせて四角状に組み合わせられ、本体取付枠３０の内側に、本体部２０が挿入可能な空間が形成される。
【００３０】
本体取付枠３０は、本体部２０のフランジ部２０ａに形成された穴部２０ｃの配置に合わせて、ネジ２０ｄが締結されるネジ穴３０ｃを、下面部３０ａに備える。
【００３１】
吊下部３１は、天井に固定されたアンカーボルト１０４が通される穴部３１ａを、Ｌ状に曲げられた上面部３１ｂに有した平板状の形鋼材で構成される。吊下部３１は、対向する２本の本体取付枠３０に、それぞれ２本ずつ固定され、４本の吊下部３１が本体取付枠３０に設けられる。
【００３２】
取付枠３は、天井に固定されたアンカーボルト１０４に、吊下部３１の穴部３１ａが通され、吊下部３１を挟んでアンカーボルト１０４にナット１０５が締結されることで、吊下部３１がアンカーボルト１０４に取り付けられる。
【００３３】
取付枠３は、本体取付枠３０の下面部３０ａが、天井パネル１０２の下面と同等程度の高さ、あるいは、天井パネル１０２の下面から所定の範囲で突出する高さで、吊下部３１がアンカーボルト１０４に取り付けられることで、本体取付枠３０の側面部３０ｂが、天井１００の開口部１０３の開口縁１０３ａと対向する。
【００３４】
取付枠３は、本体取付枠３０の側面部３０ｂに封止部材３２を備える。封止部材３２は、発砲ＰＰ、発砲ゴム、あるいはウレタン等の弾性のある部材で構成される。
【００３５】
封止部材３２は、本体取付枠３０の側面部３０ｂの高さ方向に沿って所定の幅を有し、側面部３０ｂの外側の面において、取付枠３を上述した所定の高さで取り付けたときに、天井１００の開口部１０３の開口縁１０３ａと当接する位置に設けられる。
【００３６】
取付枠３は、天井１００の開口部１０３の開口縁１０３ａに封止部材３２が当接することで、天井パネル１０２で仕切られる室内側と天井裏との間を封止できるようにするため、封止部材３２が本体取付枠３０の側面部３０ｂにおいて周方向の全周に設けられる。なお、ここでの全周とは、側面部３０ｂの全周すべてに封止部材３２を設けることのみならず、流路抵抗によって天井裏の空気が室内側へ漏れない程度の隙間があくように、封止部材３２を設けない箇所があっても良く、実質的に全周であるということである。
【００３７】
＜本実施の形態の空気清浄機の施工方法例＞
図６は、本実施の形態の空気清浄機の施工方法の一例を示す施工工程図で、次に、各図を参照して、本実施の形態の空気清浄機１Ａの施工方法について説明する。
【００３８】
本実施の形態の空気清浄機１Ａが設置される前の天井１００は、所定の位置にアンカーボルト１０４が固定され、枠体１０１と天井パネル１０２は設置されていない。空気清浄機１Ａは、図６（ａ）に示すように、まず、取付枠３から空気清浄機本体２を取り外した状態とし、取付枠３をアンカーボルト１０４に取り付ける。
【００３９】
すなわち、天井の図示しない梁に固定されたアンカーボルト１０４に、吊下部３１の穴部３１ａが通され、ゴムワッシャ１０６で吊下部３１を挟んでアンカーボルト１０４にナット１０５が締結されることで、取付枠３がアンカーボルト１０４に取り付けられる。
【００４０】
取付枠３は、天井１００に枠体１０１と天井パネル１０２が設置された状態で、本体取付枠３０の下面部３０ａが、天井パネル１０２の下面と同等程度の高さ、あるいは、天井パネル１０２の下面から所定の範囲で突出する高さとなるように取り付けられる。
【００４１】
天井１００に取付枠３が取り付けられると、図６（ｂ）に示すように、取付枠３に合わせて枠体１０１が設置される。すなわち、枠体１０１の側面を、取付枠３の本体取付枠３０の側面部３０ｂと対向させ、封止部材３２が所定量押し潰された状態となるように、本体取付枠３０の形状に合わせて４本の枠体１０１が天井１００に取り付けられる。ここで、枠体１０１は、本体取付枠３０に対して天井パネル１０２の厚さ分上側に取り付けられる。
【００４２】
次に、図６（ｃ）に示すように、天井パネル１０２の端面を、取付枠３の本体取付枠３０の側面部３０ｂと対向させ、封止部材３２が所定量押し潰された状態となるように、本体取付枠３０の形状に合わせて天井パネル１０２が枠体１０１に取り付けられる。
【００４３】
これにより、取付枠３は、本体取付枠３０の下面部３０ａを天井１００の開口部１０３に露出させた状態で、本体取付枠３０の側面部３０ｂに設けられた封止部材３２が、開口部１０３の開口縁１０３ａを構成する枠体１０１の側面と天井パネル１０２の端面に押圧される。
【００４４】
また、取付枠３は、天井１００に枠体１０１と天井パネル１０２が設置されると、本体取付枠３０の下面部３０ａが、天井パネル１０２の下面と同等程度の高さ、あるいは、天井パネル１０２の下面から所定の範囲で突出する高さとなる。
【００４５】
ここで、天井１００に枠体１０１と天井パネル１０２を設置したとき、取付枠３が上述した取付高さに合っていない場合は、アンカーボルト１０４に締結されたナット１０５の位置を調整することで、取付枠３に空気清浄機本体２を取り付けていない状態で、取付枠３の取付高さの調整が可能である。
【００４６】
天井１００に取付枠３を取り付けると共に、天井１００に枠体１０１と天井パネル１０２が設置されると、図６（ｄ）に示すように、本体取付枠３０の内側に、空気清浄機本体２の本体部２０が挿入される。
【００４７】
ここで、本体部２０のフランジ部２０ａの上面には図示しない封止部材が設けられ、本体部２０のフランジ部２０ａを、本体取付枠３０の下面部３０ａに当接した状態として、ネジ２０ｄを穴部２０ｃに挿入し、取付枠３のネジ穴３０ｃに締結することで、フランジ部２０ａが取付枠３の下面部３０ａに固定される。
【００４８】
そして、空気清浄機本体２の本体部２０が取付枠３に取り付けられると、本体部２０の下面にフロントパネル２１が取り付けられる。
【００４９】
＜本実施の形態の空気清浄機の作用効果例＞
本実施の形態の空気清浄機１Ａでは、図１に示すように、取付枠３において本体取付枠３０の側面部３０ｂに設けられた封止部材３２が、枠体１０１の側面と天井パネル１０２の端面で構成される開口部１０３の開口縁１０３ａに押圧される。
【００５０】
これにより、取付枠３と、開口部１０３の開口縁１０３ａとの上下方向の位置が変化しても、封止部材３２が開口縁１０３ａと押圧された状態が保持され、取付枠３と、開口部１０３の開口縁１０３ａとの間で気密性が確保される。
【００５１】
図７は、本実施の形態の空気清浄機の施工状態の一例を示す要部側面図である。例えば、取付枠３の取付高さが所定の許容範囲で低く、空気清浄機本体２のフランジ部２０ａと天井パネル１０２との間に隙間Ｈが形成されている状態でも、封止部材３２が開口縁１０３ａと押圧された状態が保持され、取付枠３と、開口部１０３の開口縁１０３ａとの間で気密性が確保される。
【００５２】
また、空気清浄機本体２のフランジ部２０ａと、取付枠３の本体取付枠３０の下面部３０ａが当接して、取付枠３と、空気清浄機本体２との間で気密性が確保される。
【００５３】
これにより、空気清浄機本体２の取付高さに所定の範囲で誤差があっても、開口部１０３が設けられる空気清浄機１Ａの設置場所で、天井パネル１０２で仕切られる室内側と天井側との間を封止して、気密性を保つことができる。
【００５４】
また、天井１００に枠体１０１と天井パネル１０２を設置したとき、取付枠３が所定の取付高さに合っていない場合は、取付枠３に空気清浄機本体２を取り付けていない状態で、本体取付枠３０の内側からアンカーボルト１０４に締結されたナット１０５の位置を調整することができる。
【００５５】
これにより、重量のある空気清浄機本体２を取付枠３に取り付けていない状態で、取付枠３の取付高さの調整を容易に行うことが可能となる。
【００５６】
ここで、封止部材３２は、本例では本体取付枠３０の側面部３０ｂに貼着することで、取付枠３側に設けられることとしたが、天井１００の開口部１０３の開口縁１０３ａを構成する枠体１０１の側面及び天井パネル１０２の端面に貼着することで、天井１００側に設けることとしても良い。また、封止部材３２を取付枠３と天井１００の両方に設けても良い。
【００５７】
更に、封止部材３２は、本体取付枠３０の角部等の所定の部位において、は天井１００側との間で隙間が開きやすいことを考慮して、複数枚貼着する等により厚さを異ならせても良い。また、側面部３０ｂの全周すべてに封止部材３２を設けずに、流路抵抗によって空気が流れない等、室内に居る人が寒さを感じない程度の隙間であれば、封止部材３２を設けない箇所があっても良い。
【産業上の利用可能性】
【００５８】
本発明は、空気清浄機、換気装置、浴室換気乾燥暖房装置、２４時間換気装置等、建物の天井に開口部を設けて設置される設備機器に適用される。
【符号の説明】
【００５９】
１Ａ・・・空気清浄機、２・・・空気清浄機本体、２０・・・本体部、２０ａ・・・フランジ部、２１・・・フロントパネル、３・・・取付枠、３０・・・本体取付枠、３０ａ・・・下面部、３０ｂ・・・側面部、３１・・・吊下部、１００・・・天井、１０１・・・枠体、１０２・・・天井パネル、１０３・・・開口部、１０３ａ・・・開口縁、１０４・・・アンカーボルト、１０５・・・ナット
【図１】
2014137214.tif 000003
【図２】
2014137214.tif 000004
【図３】
2014137214.tif 000005
【図４】
2014137214.tif 000006
【図５】
2014137214.tif 000007
【図６】
2014137214.tif 000008
【図７】
2014137214.tif 000009